(57)【要約】  本発明は、例えばパーソナルコンピュータに代表される電子機器に関し、コネクタを補強するとともに部品点数の増加を抑える。  マザーボード２９と、マザーボード２９に一側面が固定されて嵌合面２３１を外に向けたＵＳＢコネクタ２３と、ＵＳＢコネクタ２３に隣接した位置に配置される、ＵＳＢコネクタ２３よりも大型のウーハスピーカ２５を支持する支持部材５１とを備え、支持部材５１が、ＵＳＢコネクタ２３に接してＵＳＢコネクタを補強する補強部５１２を有する。
2007086117.tif 000002
【特許請求の範囲】
【請求項１】
電子機器において、
基板と、
前記基板に一側面が固定されて嵌合面を外に向けたコネクタと、
前記コネクタに隣接した位置に配置される、該コネクタよりも大型の搭載部品を支持する支持部材とを備え、
前記支持部材が、前記コネクタに接して該コネクタを補強する補強部を有することを特徴とする電子機器。
【請求項２】
前記搭載部品が、ウーハスピーカであることを特徴とする請求項１記載の電子機器。
【請求項３】
前記搭載部品が、前記支持部材との間にクッション材を介在させて、該支持部材に支持されたものであることを特徴とする請求項１記載の電子機器。
【請求項４】
前記支持部材が、前記補強部を含め板金加工により形成されたものであることを特徴とする請求項１記載の電子機器。
【請求項５】
前記補強部が、前記コネクタの、前記嵌合面とは反対側の底面に接する第１の板部と、該第１の板部の両端から該第１の板部に対し立設し、前記コネクタの、前記基板に固定された一側面の両側に隣接する２つの側面に接する第２および第３の板部とを有することを特徴とする請求項１記載の電子機器。
【請求項６】
前記コネクタが、ＵＳＢ規格に準拠したＵＳＢコネクタであることを特徴とする請求項１記載の電子機器。
【請求項７】
この電子機器が、前記基板を収納した本体部を有するものであって、
前記コネクタが、前記本体部に搭載され該本体部の側面から嵌合面を外に露呈させたものであることを特徴とする請求項１記載の電子機器。
【請求項８】
前記搭載部品が、ウーハスピーカであって、前記本体部の下面から外に向けて音声を出力するものであることを特徴とする請求項７記載の電子機器。
【請求項９】
前記本体部がその上面にキーボードを備え、さらに、前記本体部に対し開閉自在であって、表示画面を備えた表示部を有するものであることを特徴とする請求項７記載の電子機器。
【請求項１０】
基板と前記基板に一側面が固定されて嵌合面を外に向けたコネクタとを備えた電子機器に部品を搭載するための支持部材において、
前記コネクタに隣接した位置に配置される、該コネクタよりも大型の搭載部品を支持すると共に、前記コネクタに接して該コネクタを補強する補強部を有することを特徴とする支持部材。
【請求項１１】
前記搭載部品が、ウーハスピーカであることを特徴とする請求項１０記載の支持部材。
【請求項１２】
前記搭載部品を、クッション材を介在させて当該支持部材に支持するものであることを特徴とする請求項１０記載の支持部材。
【請求項１３】
前記補強部を含め板金加工により形成されたものであることを特徴とする請求項１０記載の支持部材。
【請求項１４】
前記補強部が、前記コネクタの、前記嵌合面とは反対側の底面に接する第１の板部と、該第１の板部の両端から該第１の板部に対し立設し、前記コネクタの、前記基板に固定された一側面の両側に隣接する２つの側面に接する第２および第３の板部とを有することを特徴とする請求項１０記載の支持部材。
【請求項１５】
前記コネクタが、ＵＳＢ規格に準拠したＵＳＢコネクタであることを特徴とする請求項１０記載の支持部材。
【発明の詳細な説明】
【技術分野】
【０００１】
本発明は、例えばパーソナルコンピュータに代表される電子機器に関する。
【背景技術】
【０００２】
近年、パーソナルコンピュータ（以下では、パソコンあるいはＰＣと略記する）が、オフィスのみでなく家庭内にも広く普及してきている。このパソコンの一形態として、上面にキーボードを備えた本体ユニットとその本体ユニットに対し開閉自在であって表示画面を備えた表示ユニットとを有し、使用時には本体ユニットに対し表示ユニットを立てた位置に開き、不使用時には表示画面がキーボード上に重なるように折り畳んでおく、いわゆるノート型パーソナルコンピュータ（以下、ノートＰＣと略記する）が知られている。【０００３】
また、近年では、上面に表示画面を有し全体が１つの板状に形成され、表示画面にペンを近接もしくは接触させてその近接もしくは接触位置を認識させることにより指示を入力する形式の、いわゆるタブレット型パーソナルコンピュータ（以下、タブレットＰＣと略記する）が登場してきている。【０００４】
さらに近年では、本体ユニットと表示ユニットを、開閉自在かつ回転自在に軸支する二軸の連結部を介して連結し、表示ユニットを立ててノートＰＣとして使用可能であるとともに、表示ユニットを本体ユニット上に、表示画面を上向きとした状態に重ねてタブレットＰＣとしても使用可能な電子機器が登場してきている。【０００５】
パソコン等の電子機器一般についても小型化が求められているが、特に上記のようなノートＰＣやタブレットＰＣ等の場合は可搬性が強く求められているため、小型化、薄型化が強く要請されている。近年では、ノートＰＣ等にも、据え置き型のいわゆるデスクトップパソコンと比べても退けをとらないだけの高機能が搭載されてきており、益々の高機能化が進んできている。したがって、このような高機能化の流れに遅れをとることなく、しかも小型化，薄型化を実現し、しかも高い操作性を維持することが求められている。【０００６】
ここで、パソコンには、外部との通信用のコネクタが設けられており、近年のパソコンには、一般に、汎用型の通信コネクタであるＵＳＢ（Ｕｎｉｖｅｒｓａｌ  Ｓｅｒｉａｌ  Ｂｕｓ）規格に準拠したＵＳＢコネクタが設けられている。また、パソコンには一般にスピーカが内蔵あるいは外付けされるが（例えば、特許文献１，２参照。）、ノートＰＣの高機能化を実現するにあたっては音質も重要な要素であり、かなり大型のスピーカ、例えばウーハスピーカをノートＰＣに内蔵することが要請されている。【０００７】
【特許文献１】特開２００５−３１０００１号公報
【特許文献２】特開２００１−３０７７９９号公報
【０００８】
ノートＰＣ等の電子機器の小型化，薄型化が進むと、ＵＳＢコネクタ等の通信用コネクタを取り付けるマザーボードも薄板となり、取付け自体も弱々しくなる傾向がある。ところがＵＳＢコネクタ等は何度も抜き差しされることがあり、抜き差しの際に横向きに力が加えられることがある。このような場合においても破損等を引き起こさないようにするためには、そのコネクタを補強して横向きの外力が加えられたときにも耐え得る構造にしておく必要がある。【０００９】
ところが、そのような補強を行なうための補強部材を設けると、その分、部品点数が増え、コスト的にも、また、小型化，薄型化の観点からも不利となる。【００１０】
本発明は、上記事情に鑑み、コネクタを補強するとともに部品点数の増加を抑えた電子機器を提供することを目的とする。
【発明の開示】
【００１１】
上記目的を達成する本発明の電子機器は、
基板と、
その基板に一側面が固定されて嵌合面を外に向けたコネクタと、
そのコネクタに隣接した位置に配置される、そのコネクタよりも大型の搭載部品を支持する支持部材とを備え、
上記支持部材が、上記コネクタに接してそのコネクタを補強する補強部を有することを特徴とする。
【００１２】
ここで、上記搭載部品は、ウーハスピーカであってもよい。
【００１３】
本発明の電子機器は、コネクタに隣接するウーハスピーカ等の搭載部品を支持する支持部材がコネクタを補強する補強部を有するため、コネクタを補強するための単独の部品は不要であり、コネクタを補強するとともに部品点数の削減が図られる。
【００１４】
ここで、上記搭載部品が、上記支持部材との間にクッション材を介在させて、その支持部材に支持されたものであることが好ましい。
【００１５】
こうすることにより、コネクタに外力が加えられた際にその外力が上記のクッション材で吸収され、その外力が上記の搭載部品に悪影響を与えることが防止される。また、逆に、搭載部品に外力が加えられた場合や搭載部品自身が振動する場合に、その外力や振動がコネクタに悪影響を与えることも防止できる。
【００１６】
また、上記支持部材が、上記補強部を含め板金加工により形成されたものであることが好ましい。
【００１７】
板金加工により、低コストで支持部材を作製することができる。
【００１８】
さらに、上記補強部が、上記コネクタの、上記嵌合面とは反対側の底面に接する第１の板部と、その第１の板部の両端からその第１の板部に対し立設し、上記コネクタの、上記基板に固定された一側面両側に隣接する２つの側面に接する第２および第３の板部とを有することが好ましい。
【００１９】
このように、第１〜第３の板部でコネクタを３方向から押えることにより、十分な補強が図られる。
【００２０】
ここで、上記コネクタが、ＵＳＢ規格に準拠したＵＳＢコネクタであってもよい。
【００２１】
本発明は、ＵＳＢコネクタに好適に適用することができる。
【００２２】
ここで、ＵＳＢは、Ｕｎｉｖｅｒｓａｌ  Ｓｅｒｉａｌ  Ｂｕｓの略であり、キーボドやマウス,モデム，ジョイスティックなどの周辺機器とパソコンを結ぶデータ伝送路の規格のひとつである。
また、この電子機器が、上記基板を収納した本体部を有するものであって、上記コネクタが、本体部に搭載されその本体部の側面から嵌合面を外に露呈させたものであってもよい。また、この電子機器が、上記本体部の上面にキーボードを備え、さらに、上記本体部に対し開閉自在であって、表示画面を備えた表示部を有するものであってもよい。
【００２３】
本発明は、タブレットＰＣやノートＰＣに好適に適用することができ、また、本体部側面のコネクタは抜き差しが頻繁に繰り返されるケースが多く、本体部側面のコネクタに適用するのが好適である。
【００２４】
また、ノートＰＣやタブレットＰＣに適用した場合において、上記搭載部品が、ウーハスピーカであって、上記本体部の下面から外に向けて音声を出力するものであってもよい。
【００２５】
以上説明したとおり、本発明によれば、部品点数の増加を抑えつつコネクタが補強される。
【図面の簡単な説明】
【００２６】
【図１】本発明の一実施形態であるノートＰＣの、前方斜めから見て示した外観斜視図である。
【図２】本発明の一実施形態であるノートＰＣの、図１とは異なる方向から見て示した外観斜視図である。
【図３】本体ユニットの下面を示す図である。
【図４】図１〜図３に示すノートＰＣの右側面を、本体ユニットの上面側から斜めに見た斜視図である。
【図５】同じノートＰＣの右側面を、本体ユニットの下面側から斜めに見た斜視図である。
【図６】ウーハスピーカを支持する支持部材（Ａ）とウーハスピーカ（Ｂ）を示す図である。
【図７】図６（Ａ）に示す支持部材に図６（Ｂ）に示すウーハスピーカを支持させた状態を示す図である。
【図８】図７と同じ状態を支持部材側から見て示した図である。
【図９】本体ユニット内に支持部材のみを載せてウーハスピーカは取り除いて示した斜視図である。
【図１０】本体ユニット内にさらにウーハスピーカを載せた状態を示した図である。
【発明を実施するための最良の形態】
【００２７】
以下、本発明の実施の形態について説明する。【００２８】
図１，図２は、本発明の一実施形態であるノートＰＣの、前方斜めの互いに異なる方向から見て示した外観斜視図である。【００２９】
このノートＰＣ１０は、本体ユニット２０と表示ユニット３０とからなる２つの筐体を備えており、表示ユニット３０は、ヒンジ部４０で、本体ユニット２０に対し開閉自在に支持されている。【００３０】
本体ユニット２０には、上面にキーボード２１やトラックパッド２２等が備えられており、右側面には、後で詳細に説明する構成要素として、ＵＳＢコネクタ２３が、嵌合面を外に向けて配置されている。この本体ユニット２０は、このＵＳＢコネクタ２３を含む各種部品が実装されたマザーボード２９、ハードディスクドライブユニット、光ディスクドライブユニット、バッテリユニット、その他の各種ユニットをケース内に内蔵しているものである。なお、このケースはアッパーカバーとロアカバーからなり、ロアカバー内にマザーボード２９や各種ユニットが収納され、そのロアカバーの上部にはそれらを覆いキーボード２１やトラックパッド２２を操作可能に露出して収納するための領域が区画されたアッパーカバーが配置される。【００３１】
また、このノートＰＣ１０は、テレビ受像機能が内蔵されており、その本体ユニット２０の前端面には、ＩＣカードの一種であるＢ−ＣＡＳカードが挿抜自在に挿入されるカードスロットの開口を覆う、スロットカバー２４１が設けられている。ここで、Ｂ−ＣＡＳカードは、ＢＳ−Ｃｏｎｄｉｔｉｏｎａｌ  Ａｃｃｅｓｓ  Ｓｙｓｔｅｍｓ  Ｃａｒｄの略であり、デジタル放送を受信する機器（テレビやチューナー）などに添付されている、暗号を解除するための鍵データの記録されたＩＣカードである。【００３２】
また、表示ユニット３０は、その前面に大寸法の表示画面３１を有する。【００３３】
また、ヒンジ部４０は、表示ユニット３０を本体ユニット２０に開閉自在に支持させる構造を有している。【００３４】
図３は、本体ユニット２０の下面を示す図である。【００３５】
この本体ユニット２０の下面の、ヒンジ部４０に寄った位置に、ウーハスピーカ２５が覗いている。また、この本体ユニット２０の中央よりもヒンジ部４０側に寄った位置に本体ユニット内に空気を循環させるための空気孔２６が形成されている。これは、この本体ユニット２０の奥側半分の方が手前側半分と比べ発熱量が大きくなるように、ＣＰＵ等の発熱部品が本体ユニット２０の奥側に配置されていることによる。さらに、この本体ユニット２０の下面には、この本体ユニット２０を机の上などに置いたときに、ウーハスピーカ２５や空気孔２６が接してしまわないように、本体ユニット２０の下面から少し突出した床置きパッド２７が配備されている。【００３６】
図４は、図１〜図３に示すノートＰＣの右側面を、本体ユニットの上面側から斜めに見た斜視図、図５は、同じノートＰＣの右側面を、本体ユニットの下面側から斜めに見た斜視図である。【００３７】
本体ユニット２０の右側面には、前述したＵＳＢコネクタ２３や、さらにマイクロホン用のジャック５１、ヘッドホン用のジャック５２、およびＩＥＥＥ１３９４の規格に準拠した通信用のコネクタ５３が並んでおり、さらにその隣にはＰＣカードが取出し自在に挿入されてアクセスされるＰＣカードスロットの挿入口５４が設けられている。これらジャック５１、ジャック５２、コネクタ５３もＵＳＢコネクタ２３と同様にマザーボード２９に実装されている。【００３８】
図６は、ウーハスピーカを支持する支持部材（Ａ）とウーハスピーカ（Ｂ）を示す図、図７は、図６（Ａ）に示す支持部材に図６（Ｂ）に示すウーハスピーカを支持させた状態を示す図、図８は、図７と同じ状態を支持部材側から見て示した図である。また、図９は、本体ユニット内に支持部材のみを載せてウーハスピーカは取り除いて示した斜視図、図１０は、本体ユニット内にさらにウーハスピーカを載せた状態を示した図である。【００３９】
図６に示すように、ウーハスピーカ２５を支持する支持部材５１は、板金の曲げ加工により形成されたものであり、中央に、ウーハスピーカ２５の背面２５１が覗く円形の開口５１１（図８参照）が形成されている。また、この支持部材５１の、図６の左側の部分には、本体ユニット右側面のＵＳＢコネクタ２３（図４，図５参照）を補強するためのＵＳＢコネクタ補強部５１２と、ＩＥＥＥ１３９４コネクタ５３（図４，図５参照）を補強するためのＩＥＥＥ１３９４コネクタ補強部５１３が形成されている。【００４０】
ここで、ＵＳＢコネクタ２３は、その一側面がマザーボード２９に固定され（図９参照）、嵌合面２３１を外に向けて配置されており、支持部材５１のＵＳＢコネクタ補強部５１２は、そのＵＳＢコネクタ２３の、嵌合面２３１とは反対側の底面２３２に接する第１の板部５１２ａと、その第１の板部５１２ａの両端からその第１の板部５１２ａに対し立設し、そのＵＳＢコネクタ２３の、マザーボード２９に固定された一側面の両側に隣接する２つの側面２３３，２３４に接する第２および第３の板部５１２ｂ，５１２ｃとを有し、ＵＳＢコネクタ２３を三面から強固に補強する構造となっている。【００４１】
これにより、ＵＳＢコネクタ２３に、そのＵＳＢコネクタ２３と組み合うコネクタを差し込むときあるいは抜き取るときに横向きの力が加えられても、ＵＳＢコネクタ２３が固定されているマザーボード２９とそのＵＳＢコネクタ２３との間が曲げられたり外れたりすることが防止され、ＵＳＢコネクタ２３の本来の機能が長期に亘って保たれる。【００４２】
また、ＩＥＥＥ１３９４コネクタ５３を補強するＩＥＥＥ１３９４コネクタ補強部５１３は、そのＩＥＥＥ１３９４コネクタ５３を上から覆うようにしてそのＩＥＥＥ１３９４コネクタ５３を補強している。これにより、ＵＳＢコネクタ２３と同様に、ＩＥＥＥ１３９４コネクタ５３も外力による曲げ等を防止され、その本来の機能が長期に亘って保たれることになる。【００４３】
また、支持部材５１の上には、図示しないクッション材（ここでは具体的にはゴム板）が敷かれてその上にウーハスピーカ２５が配置され、固定される。【００４４】
こうすることにより、１つには、ウーハスピーカ２５の音声出力時の振動が他の部品に伝わるのが防止されるとともに、もう１つには、ＵＳＢコネクタ２３の挿抜時に加えられた不用意な力がウーハスピーカにまで伝わってウーハスピーカの固定に悪影響が及ぶことが防止されている。【００４５】
尚、ここでは、ノートＰＣを例に挙げて説明したが、本発明は、ノートＰＣ以外のパソコンや、さらに電子機器一般に適用することができる。
【図１】
2007086117.tif 000003
【図２】
2007086117.tif 000004
【図３】
2007086117.tif 000005
【図４】
2007086117.tif 000006
【図５】
2007086117.tif 000007
【図６】
2007086117.tif 000008
【図７】
2007086117.tif 000009
【図８】
2007086117.tif 000010
【図９】
2007086117.tif 000011
【図１０】
2007086117.tif 000012
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
電子機器において、
基板と、
前記基板に一側面が固定されて嵌合面を外に向けたコネクタと、
前記コネクタに隣接した位置に配置される、該コネクタよりも大型の搭載部品を支持する支持部材とを備え、
前記支持部材が、前記コネクタに接して該コネクタを補強する補強部を有することを特徴とする電子機器。
【請求項２】
前記支持部材が、前記補強部を含め板金加工により形成されたものであることを特徴とする請求項１記載の電子機器。
【請求項３】
前記補強部が、前記コネクタの、前記嵌合面とは反対側の底面に接する第１の板部と、該第１の板部の両端から該第１の板部に対し立設し、前記コネクタの、前記基板に固定された一側面の両側に隣接する２つの側面に接する第２および第３の板部とを有することを特徴とする請求項１記載の電子機器。
【請求項４】
この電子機器が、前記基板を収納した本体部を有するものであって、
前記コネクタが、前記本体部に搭載され該本体部の側面から嵌合面を外に露呈させたものであることを特徴とする請求項１記載の電子機器。
【請求項５】
前記本体部がその上面にキーボードを備え、さらに、前記本体部に対し開閉自在であって、表示画面を備えた表示部を有するものであることを特徴とする請求項４記載の電子機器。
【請求項６】
基板と前記基板に一側面が固定されて嵌合面を外に向けたコネクタとを備えた電子機器に部品を搭載するための支持部材において、
前記コネクタに隣接した位置に配置される、該コネクタよりも大型の搭載部品を支持すると共に、前記コネクタに接して該コネクタを補強する補強部を有することを特徴とする支持部材。
【請求項７】
前記補強部を含め板金加工により形成されたものであることを特徴とする請求項６記載の支持部材。
【請求項８】
前記補強部が、前記コネクタの、前記嵌合面とは反対側の底面に接する第１の板部と、該第１の板部の両端から該第１の板部に対し立設し、前記コネクタの、前記基板に固定された一側面の両側に隣接する２つの側面に接する第２および第３の板部とを有することを特徴とする請求項６記載の支持部材。
【国際調査報告】
2007086117.tif 000013
2007086117.tif 000014
2007086117.tif 000015
2007086117.tif 000016